(57)【特許請求の範囲】
【請求項１】
バッテリーのバッテリーポストと、電線の接続端子とに接続されるバッテリーターミナルと、前記接続端子とを覆うバッテリーカバーにおいて、
当該バッテリーカバーは、高さの異なる上面が２以上形成された天井壁と、該天井壁の上面のうち、最も高い位置の面を形成する壁からなる高天井壁部の下面から下方に向けて延び、かつ下端面が前記バッテリーの上面に接するように形成されてなる荷重支持部と、を備え、
前記荷重支持部は、内面に縦方向リブを設けるとともに、下端部に接触面積拡大リブを設けることを特徴とするバッテリーカバー。
【請求項２】
前記高天井壁部は、
上面がベタ平面状に形成されてなることを特徴とする請求項１に記載のバッテリーカバー。
【請求項３】
前記荷重支持部は、
前記高天井壁部の下面から下方に向けて延び、かつ下端面が前記バッテリーの上面に接するように形成されてなる当該バッテリーカバーの側壁であることを特徴とする請求項１または２に記載のバッテリーカバー。
【請求項４】
前記荷重支持部は、
前記バッテリーターミナルの側部に沿って設けられてなることを特徴とする請求項１または２に記載のバッテリーカバー。
【発明の詳細な説明】
【技術分野】
【０００１】
本発明は、バッテリーターミナルを覆うバッテリーカバーに関する。
【背景技術】
【０００２】
従来、バッテリーのバッテリーポストと、電線の接続端子とに接続されるバッテリーターミナルを用いて、バッテリーと電線とを電気的に接続させるものがある。このようなバッテリーターミナルを用いて、バッテリーと電線とが接続される場合、バッテリーターミナルおよび接続端子の短絡を防止することが重要である。そこで、バッテリーターミナルおよび接続端子の短絡を防止するために、バッテリーターミナルおよび接続端子を覆うバッテリーカバーが提案されている（例えば、特許文献１参照）。
【０００３】
特許文献１に記載されたバッテリーカバーは、カバー内部には、電線接続部又は接続端子に嵌合する係止用の嵌合係止部を有する。また、カバー内部には、弾性を有しカバー取り外し方向の移動に対して環状部に引っ掛かる浮き止め係止部を一体に成形する。さらに、カバー内部には、環状部に対して弾性接触する弾性保持リブを一体に成形する。
【先行技術文献】
【特許文献】
【０００４】
【特許文献１】特開２００６−４０７９７号公報
【発明の概要】
【発明が解決しようとする課題】
【０００５】
ところで、近年、ハイブリッドカーの普及にともない、バッテリーが車内の床下、例えば、荷室の床下に配置されるようになってきている。このような場合、荷室の床が荷重によって下方に撓むと、バッテリーカバーに荷重が負荷されることになる。
【０００６】
しかしながら、上述した従来のバッテリーカバーは、荷重が負荷されることを考慮したものではないため、荷重の影響によってバッテリーカバーが変形されて、バッテリーターミナルに荷重が負荷されてしまうおそれがあった。すなわち、バッテリーと電線との接続安定性が低下してしまうという問題があった。
【０００７】
このような問題を解消するため、バッテリーカバーの下端面がバッテリーの上面に接触され、かつバッテリーカバーの壁の肉厚が厚くされ、あるいは補強用のリブが設けられることによってバッテリーカバーの荷重に対する強度を向上させることが考えられる。
【０００８】
しかしながら、バッテリーカバーの壁が肉厚にされると、あるいは補強用のリブが設けられるとバッテリーカバーの寸法が大きくなり、結果的に省スペース化が難しくなるという問題があった。
【０００９】
本発明は、上記に鑑みてなされたものであって、省スペース化を実現しつつ、バッテリーと電線との接続安定性を向上することができるバッテリーカバーを提供することを目的とする。
【課題を解決するための手段】
【００１０】
上述した課題を解決し、目的を達成するために、本発明の請求項１にかかるバッテリーカバーは、バッテリーのバッテリーポストと、電線の接続端子とに接続されるバッテリーターミナルと、前記接続端子とを覆うバッテリーカバーにおいて、当該バッテリーカバーは、高さの異なる上面が２以上形成された天井壁と、該天井壁の上面のうち、最も高い位置の面を形成する壁からなる高天井壁部の下面から下方に向けて延び、かつ下端面が前記バッテリーの上面に接するように形成されてなる荷重支持部と、を備え、前記荷重支持部は、内面に縦方向リブを設けるとともに、下端部に接触面積拡大リブを設けることを特徴とする。
【００１１】
また、本発明の請求項２にかかるバッテリーカバーは、上記の発明において、前記高天井壁部は、上面がベタ平面状に形成されてなることを特徴とする。
【００１２】
また、本発明の請求項３にかかるバッテリーカバーは、上記の発明において、前記荷重支持部は、前記高天井壁部の下面から下方に向けて延び、かつ下端面が前記バッテリーの上面に接するように形成されてなる当該バッテリーカバーの側壁であることを特徴とする。
【００１３】
また、本発明の請求項４にかかるバッテリーカバーは、上記の発明において、前記荷重支持部は、前記バッテリーターミナルの側部に沿って設けられてなることを特徴とする。
【発明の効果】
【００１４】
本発明の請求項１にかかるバッテリーカバーは、当該バッテリーカバーの上面のうち、最も高い位置の面を形成する壁からなる高天井壁部の下面から下方に向けて延び、かつ下端面が前記バッテリーの上面に接するように形成されてなる荷重支持部を有してなるので、荷重が負荷され易い部分を前記高天井壁部に限定させ、前記高天井壁部の荷重に対する強度を上げることによって、耐荷重構造を必要最小限のスペースで設けることができ、結果的に、省スペース化を実現しつつ、バッテリーと電線との接続安定性を向上することができる。
【００１５】
本発明の請求項２にかかるバッテリーカバーは、前記高天井壁部が上面がベタ平面状に形成されてなるので、荷重が平面で支持され、結果的に荷重が安定的に支持される。
【００１６】
本発明の請求項３にかかるバッテリーカバーは、前記荷重支持部が前記高天井壁部の下面から下方に向けて延び、かつ下端面が前記バッテリーの上面に接するように形成されてなる当該バッテリーカバーの側壁であるので、当該バッテリーカバーに荷重支持部を別に設ける必要がなく、簡易な構成で省スペース化を実現しつつ、バッテリーと電線との接続安定性を向上することができる。
【００１７】
本発明の請求項４にかかるバッテリーカバーは、前記荷重支持部が前記バッテリーターミナルの側部に沿って設けられてなるので、前記バッテリーカバーのガタつきが低減されるとともに、前記バッテリーカバーを取り付ける際、前記バッテリーターミナルを基準として容易に取り付けることができる。
【図面の簡単な説明】
【００１８】
【図１】図１は、本発明の実施の形態にかかるバッテリーカバーを有してなるバッテリー接続ユニットの分解斜視図である。
【図２】図２は、図１に示したバッテリー接続ユニットの上面図である。
【図３】図３は、図２に示したバッテリー接続ユニットのＡ―Ａ線断面および荷室の床の断面を示した図である。
【図４】図４は、図１に示したバッテリー接続ユニットの側面図である。
【図５】図５は、図４に示したバッテリー接続ユニットのＢ−Ｂ線断面図である。
【図６】図６は、図１に示したバッテリーカバーを下方から視た図である。
【図７】図７は、バッテリーカバーの高天井壁部に荷重が負荷されることを説明するための図である。
【図８】図８は、本発明の実施の形態の変形例１のバッテリーカバーの斜視図である。
【図９】図９は、本発明の実施の形態の変形例２のバッテリーカバーの斜視図である。
【図１０】図１０は、本発明の実施の形態の変形例３のバッテリーカバーの斜視図である。
【発明を実施するための形態】
【００１９】
以下、図面を参照して、この発明にかかるバッテリーカバーの好適な実施の形態を詳細に説明する。
【００２０】
（実施の形態）
図１は、本発明の実施の形態にかかるバッテリーカバーを有してなるバッテリー接続ユニット１００の分解斜視図である。図２は、図１に示したバッテリー接続ユニット１００の上面図である。図３は、図２に示したバッテリー接続ユニット１００のＡ―Ａ線断面および荷室の床の断面を示した図である。図４は、図１に示したバッテリー接続ユニット１００の側面図である。図５は、図４に示したバッテリー接続ユニット１００のＢ−Ｂ線断面図である。図６は、図１に示したバッテリーカバーを下方から視た図である。
本発明の実施の形態にかかるバッテリーカバー１は、バッテリー５０のバッテリーポスト５１と、電線Ｗの接続端子Ｃとに接続されるバッテリーターミナル６０と、接続端子Ｃとを覆うようになっている。
なお、この実施の形態では、バッテリー５０が荷室の床下に配置されるものとして説明する。
【００２１】
まず、公知のバッテリー５０およびバッテリーターミナル６０について説明する。
バッテリー５０は、上面５０ａからバッテリーポスト５１が柱状に突出して設けられている。
バッテリーターミナル６０は、図１に示すように、バッテリーポスト５１に巻着される環状部６１と、電線Ｗが接続される電線接続部６２とを有してなる。
環状部６４は、バッテリーポスト５１が挿通される挿通穴部６１ａが形成されてなる。この挿通孔部６４ａは、ボルトＢ１およびナットＮ１による締結がなされて孔径が縮むようになっている。このため、ボルトＢ１およびナットＮ１によって締結がなされ、挿通穴部６１ａの孔径が縮むことによって、バッテリーターミナル６０がバッテリーポスト５１に固定されるようになっている。
電線接続部６２は、ボルトＢ２が植設されてなる。この電線接続部６２は、電線Ｗの接続端子Ｃに形成された挿通孔Ｃ１にボルトＢ２が挿通され、ボルトＢ２およびナットＮ２によって締結されることによって電線Ｗが固定されるようになっている。
【００２２】
次に、バッテリーカバー１について説明する。
バッテリーカバー１は、例えば絶縁性の合成樹脂材からなり、カバー本体部１０、カバー本体部１０から引き出された電線Ｗに取り付けられる電線取り付け部４０と、電線取り付け部４１とカバー本体部１０とを連結し、かつ可撓性を有してなる可撓連結部４１とを有してなる。
【００２３】
カバー本体部１０は、天井壁２０と、天井壁２０の縁に沿って下方に向けて立設されてなる周側壁３０とを有し、下端１０ｂに開口部１０ａが形成されてなるほぼ箱型形状をなす。
このカバー本体部１０は、ターミナル収容部１１および電線引き出し部１２を有してなる。
【００２４】
ターミナル収容部１１は、図５および図６に示すように、バッテリーターミナル６０を収容するための収容部であり、内部にバッテリーターミナル６０を位置決めするための位置決め部１１ａを有してなる。この位置決め部１１ａは、天井壁２０の下面２０ａから下方に向けて立設され、かつバッテリーターミナル６０の形状に沿って形成されてなる壁である。バッテリーカバー１がバッテリーターミナル６０に取り付けられる場合、バッテリーカバー１が位置決め部１１ａによってバッテリーターミナル６０の所定の取り付け位置に配置されるようになっている。
【００２５】
電線引き出し部１２は、電線Ｗの接続端子Ｃ周辺を収容する収容部であり、電線Ｗの引き出し方向に沿ってターミナル収容部１１から突出して設けられてなる。この電線引き出し部１２は、周側壁３０に形成された開口である電線引き出し口１２ａを有してなる。この電線引き出し口１２ａを介して電線Ｗがバッテリーカバー１から引き出されるようになっている。
【００２６】
ここで、天井壁２０についてさらに詳細に説明する。
天井壁２０は、上面２１の高さが相対的に高い位置の高位置面２１ａと低い位置の低位置面２１ｂとを有してなる２段形状に形成されてなり、高位置面２１ａを形成する壁部分である高天井壁部２２と、低位置面２１ｂを形成する壁部分である低天井壁部２３とを有してなる。なお、高位置面２１ａは、一様に広がる平面（ベタ平面）に形成されてなる。
このように、天井壁２０に高さの異なる面が形成されることによって、荷室の床が撓んだ場合に、低位置面２１ｂよりも先に高位置面２１ａに荷室の床が当接されるようになっている。また、高位置面２１ａが、図３に示すように、バッテリーカバー１と床Ｆとの間のスペースＳに突出されるように形成されることによって、スペースＳを有効的に利用している。
【００２７】
また、カバー本体部１０は、高天井壁部２２の下面２２ｂから立設される周側壁３０（以下、荷重支持周側壁３１という。）の下端面３１ａがバッテリー５０の上面５０ａに接するようになっている。すなわち、荷重支持周側壁３１は、荷重支持部として高天井壁部２２にかかる荷重を支持するようになっている。
【００２８】
また、荷重支持周側壁３１は、内面３１ｂあるいは外面３１ｃに荷重支持部としての補強リブ３２がさらに設けられることによって支持強度が高められるようになっている。
この補強リブ３２は、縦方向リブ３３と、接触面積拡大リブ３４とを有してなる。
【００２９】
縦方向リブ３３は、図５および図６に示すように、複数の板状壁部３３ａと、板状壁部群３３ｂに連接されてなるガイド壁部３３ｃとを有してなる。
各板状壁部３３ａは、荷重支持周側壁３１の内面３１ｂに対して略直交するように立設され、かつ高天井壁部２２の下面２２ｂから荷重支持周側壁３１の下端３１ｄ位置まで下方に延びてなる板状の壁である。このような各板状壁部３３ａは、下端面３３ｅがバッテリー５０の上面５０ａに接するようになっている。
【００３０】
ガイド壁部３３ｃは、隣り合う複数の板状壁部３３ａによって構成される板状壁部群３３ｂの各板状壁部３３ａの側端部３３ｄを連接するように設けられ、かつバッテリーターミナル６０の側部６３に沿った形状に形成されてなる板状の壁である。このガイド壁部３３ｃは、高天井壁部２２の下面２２ｂから荷重支持周側壁３１の下端３１ｄ位置まで下方に延びてなる板状の壁である。このようなガイド壁部３３ｃは、下端面３３ｆがバッテリー５０の上面５０ａに接するようになっている。
【００３１】
このように縦方向リブ３３が高天井壁部２２の下面２２ｂから荷重支持周側壁３１の下端３１ｄ位置まで下方に延び、下端面３３ｅ，３３ｆがバッテリー５０の上面５０ａに接するようになっているので、荷重支持周側壁３１の荷重に対する支持強度が高められるようになっている。
【００３２】
また、縦方向リブ３３がバッテリーターミナル６０の側部６３に沿って設けられることによって、バッテリーカバー１のガタつきが低減されるとともに、バッテリーカバー１を取り付ける際、バッテリーターミナル６０を基準として取り付けることができる。しかも、縦方向リブ３３が、荷重支持周側壁３１の下端３１ｄ位置から形成されているので、バッテリーターミナル６０が開口部１０ａに位置されたときから、バッテリーターミナル６０を基準として取り付ることができるようになっている。
【００３３】
さらにまた、縦方向リブ３３は、ガイド壁部３３ｃが複数箇所で板状壁部群３３ｂに支持されることによってクッション性を有するようになっている。このため、バッテリーカバー１を取り付ける際、縦方向リブ３３がバッテリーターミナル６０に干渉する位置にあったとしても、クッション機能によって干渉状態が回避され、バッテリーカバー１の取り付け性を低下させないようになっている。
【００３４】
接触面積拡大リブ３４は、荷重支持周側壁３１の下端面３１ａが水平方向に延在されるように、すなわちバッテリー５０の上面５０ａとバッテリーカバー１の下端面１０ｃの接触面積が拡大されるように荷重支持周側壁３１の下端３１ｂの外面からから突出して設けされた壁である。この接触面積拡大リブ３４は、荷重支持周側壁３１に繋がって下端面１０ｃと、バッテリー５０の上面５０ａとの接触面積を拡大するように形成されてなるので、荷重支持周側壁３１の荷重に対する強度が高められるようになっている。すなわち、接触面積拡大リブ３４によって高天井壁部２２の荷重に対する強度が高められるようになっている。
【００３５】
ここで、図７を用いてバッテリーカバー１の高天井壁部２２に荷重が負荷されることを説明する。図７は、バッテリーカバー１の高天井壁部２２に荷重が負荷されることを説明するための図である。
図７（ａ）は、荷室の床Ｆに荷物が載置されていない状態を示した図である。図７（ｂ）は、荷室の床Ｆに荷物が載置され、床が撓み始めた状態を示した図である。図７（ｃ）は、荷室の床Ｆが高位置面２１ａに当接された状態を示した図である。
【００３６】
図７（ａ）に示すように、荷室の床Ｆに荷物が載置されていない状態では、床Ｆは撓んでいない状態である。
荷室の床Ｆに荷物が載置されることによって床Ｆに荷重がかかると、床Ｆが下方に撓み始める（図７（ｂ）参照）。
床Ｆの撓み量がバッテリーカバー１に接する量になると、高位置面２１ａと荷室の床Ｆとが当接される（図７（ｃ）参照）。この際、高位置面２１ａに比して低い位置の低位置面２１ｂには、床Ｆは当接されない。すなわち、高位置面２１ａには荷重が負荷され、低天井壁部２３には荷重が負荷されないようになっている。
このように、高天井壁部２２に荷重が負荷されると、荷重支持部としての荷重支持周側壁３１によって、荷重が支持される。しかも、縦方向リブ３３によって支持強度を高めて荷重が支持される。
また、高位置面２１ａが一様に広がる平面（ベタ平面）に形成されてなるので、荷重が平面で支持され、結果的に荷重が安定的に支持される。
【００３７】
本発明の実施の形態のバッテリーカバー１は、バッテリーカバー１の上面のうち、最も高い位置の面を形成する壁からなる高天井壁部２２の下面２２ｂから下方に向けて延び、かつ下端面３１ａがバッテリー５０の上面５０ａに接するように形成されてなる荷重支持周側壁３１を有してなるので、荷重が負荷され易い部分を高天井壁部２２に限定させ、高天井壁部２２の荷重に対する強度を上げることによって、耐荷重構造を必要最小限のスペースで設けることができ、結果的に、省スペース化を実現しつつ、バッテリーと電線との接続安定性を向上することができる。
【００３８】
また、本発明の実施の形態のバッテリーカバー１は、高位置面２１ａが一様に広がる平面（ベタ平面）に形成されてなるので、荷重が平面で支持され、結果的に荷重が安定的に支持される。
【００３９】
また、本発明の実施の形態のバッテリーカバー１は、荷重支持部が高天井壁部２２の下面２２ｂから下方に向けて延び、かつ下端面３１ａがバッテリー５０の上面５０ａに接するように形成されてなる当該バッテリーカバー１の荷重支持周側壁３１であるので、バッテリーカバー１に荷重支持部を別に設ける必要がなく、簡易な構成で省スペース化を実現しつつ、バッテリーと電線との接続安定性を向上することができる。
【００４０】
また、本発明の実施の形態のバッテリーカバー１は、荷重支持部としての縦方向リブ３３がバッテリーターミナル６０の側部６３に沿って設けられてなるので、バッテリーカバー１のガタつきが低減されるとともに、バッテリーカバー１を取り付ける際、バッテリーターミナル６０を基準として容易に取り付けることができる。しかも、縦方向リブ３３が、荷重支持周側壁３１の下端３１ｄ位置から形成されているので、バッテリーターミナル６０が開口部１０ａに位置されたときから、バッテリーターミナル６０を基準として取り付けることができる。
【００４１】
（変形例１）
次に、図８を用いて本発明の実施の形態のバッテリーカバー１の変形例１について説明する。図８は、本発明の実施の形態の変形例１のバッテリーカバー２の斜視図である。
この変形例１のバッテリーカバー２は、荷重支持周側壁３１に代わって荷重支持周側壁７０を有してなる点で実施の形態のバッテリーカバー１と異なる。
なお、その他の構成は実施の形態と同様であり、実施の形態と同一構成部分には同一符号を付している。
【００４２】
荷重支持周側壁７０は、下端部７０ａの一部に切り欠き部７１が形成され、この切り欠き部７１が形成されている部分がバッテリー５０の上面５０ａに接しないようになっている。
【００４３】
この変形例１のバッテリーカバー２は、バッテリーカバー２の上面のうち、最も高い位置の面を形成する壁からなる高天井壁部２２の下面２２ｂから下方に向けて延び、かつ下端面３１ａがバッテリー５０の上面５０ａに接するように形成されてなる荷重支持周側壁７０を有してなるので、荷重が負荷され易い部分を高天井壁部２２に限定させ、高天井壁部２２の荷重に対する強度を上げることによって、耐荷重構造を必要最小限のスペースで設けることができ、結果的に、実施の形態と同様に、省スペース化を実現しつつ、バッテリーと電線との接続安定性を向上することができる。
【００４４】
（変形例２）
次に、図９を用いて本発明の実施の形態のバッテリーカバー１の変形例２について説明する。図９は、本発明の実施の形態の変形例２のバッテリーカバー３の斜視図である。
この変形例２のバッテリーカバー３は、荷重支持部として荷重支持周側壁３１に代わって柱状支持部８０を有してなる点で実施の形態のバッテリーカバー１と異なる。
なお、その他の構成は実施の形態と同様であり、実施の形態と同一構成部分には同一符号を付している。
【００４５】
柱状支持部８０は、高天井壁部２２の下面２２ｂの４隅に立設された柱状の支柱であり、バッテリーカバー３の上面のうち、最も高い位置の面を形成する壁からなる高天井壁部２２の下面２２ｂから下方に向けて延び、かつ下端面８０ａがバッテリー５０の上面５０ａに接するように形成されてなる。
【００４６】
この変形例２のバッテリーカバー３は、バッテリーカバー３の上面のうち、最も高い位置の面を形成する壁からなる高天井壁部２２の下面２２ｂから下方に向けて延び、かつ下端面８０ａがバッテリー５０の上面５０ａに接するように形成されてなる柱状支持部８０を有してなるので、荷重が負荷され易い部分を高天井壁部２２に限定させ、高天井壁部２２の荷重に対する強度を上げることによって、耐荷重構造を必要最小限のスペースで設けることができ、結果的に、実施の形態と同様に、省スペース化を実現しつつ、バッテリーと電線との接続安定性を向上することができる。
【００４７】
（変形例３）
次に、図１０を用いて本発明の実施の形態のバッテリーカバー１の変形例３について説明する。図１０は、本発明の実施の形態の変形例３のバッテリーカバー４の斜視図である。
この変形例３のバッテリーカバー４は、バッテリーカバー４の上面が３段形状に形成されてなる点で実施の形態のバッテリーカバー１と異なる。
なお、その他の構成は実施の形態と同様であり、実施の形態と同一構成部分には同一符号を付している。
【００４８】
バッテリーカバー４、３段形状の上面のうち最も高い位置の面を形成する壁が高天井壁部２２として設定されるようになっている。
【００４９】
この変形例３のバッテリーカバー４は、バッテリーカバー４の上面のうち、最も高い位置の面を形成する壁からなる高天井壁部２２の下面２２ｂから下方に向けて延び、かつ下端面３１ａがバッテリー５０の上面５０ａに接するように形成されてなる荷重支持周側壁３１を有してなるので、荷重が負荷され易い部分を高天井壁部２２に限定させ、高天井壁部２２の荷重に対する強度を上げることによって、耐荷重構造を必要最小限のスペースで設けることができ、結果的に、実施の形態と同様に、省スペース化を実現しつつ、バッテリーと電線との接続安定性を向上することができる。
【００５０】
なお、本発明の実施の形態では、高位置面２１ａが一様に広がる平面（ベタ平面）に形成されてなるものを例示したが、これに限らない。すなわち、荷重を支持することが可能であれば、高位置面２１ａは曲面形状を有したなる面であっても構わない。
【００５１】
なお、本発明の実施の形態では、荷重支持部としての補強リブ３２が設けられることによって支持強度が高められるものを例示したが、補強リブ３２を有しない構成にしてもよい。すなわち、荷重支持周側壁３１，７０のみが荷重支持部として機能するようにしてもよい、
【００５２】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００５３】
１、２、３、４  バッテリーカバー
１０      カバー本体部
１０ａ    開口部
１０ｂ    下端
１０ｃ    下端面
１１      ターミナル収容部
１１ａ    位置決め部
１２      電線引き出し部
１２ａ    電線引き出し口
２０      天井壁
２０ａ    下面
２１      上面
２１ａ    高位置面
２１ｂ    低位置面
２２      高天井壁部
２２ｂ    下面
２３      低天井壁部
３０      周側壁
３１、７０  荷重支持周側壁
３１ａ    下端面
３１ｂ    内面
３１ｃ    外面
３１ｄ    下端
３２      補強リブ
３３      縦方向リブ
３３ａ    板状壁部
３３ｂ    板状壁部群
３３ｃ    ガイド壁部
３３ｄ    側端部
３３ｅ、３３ｆ  下端面
３４      接触面積拡大リブ
４０      電線取り付け部
４１      可撓連結部
５０      バッテリー
５０ａ    上面
５１      バッテリーポスト
６０      バッテリーターミナル
６１      環状部
６１ａ    挿通孔部
６２      電線接続部
６３      側部
７０ａ    下端部
７１      切り欠き部
８０      柱状支持部
８０ａ    下端面
１００    バッテリー接続ユニット
Ｂ１、Ｂ２  ボルト
Ｎ１、Ｎ２  ナット
Ｗ        電線
Ｃ        接続端子
Ｃ１      挿通孔
Ｓ        スペース
Ｆ        床
【図１】
0005927603.tif 000002
【図２】
0005927603.tif 000003
【図３】
0005927603.tif 000004
【図４】
0005927603.tif 000005
【図５】
0005927603.tif 000006
【図６】
0005927603.tif 000007
【図７】
0005927603.tif 000008
【図８】
0005927603.tif 000009
【図９】
0005927603.tif 000010
【図１０】
0005927603.tif 000011